(57)【要約】【課題】本発明は、様々な環境にある柱状構造物に対して、安全にして、簡単かつ確実に切断することができる柱状構造物切断装置を提供することを目的とする。【解決手段】本装置は、所定の設置面に設置される基台部１と、基台部１上を平面方向に移動可能に設けられたスライド部２と、スライド部２上を平面方向に回転可能に設けられた回転台部３と、回転台部３に設けられた切断部４とを備える。スライド部２が基台部１上を平面方向に移動することにより、切断部４が平面方向に往復移動するとともに、回転台部２が１スライド部１上で平面方向に回転することにより切断部４が平面方向に揺動することにより、電柱Ｐ等の柱状柱状構造物を平面方向に切断する。【選択図】図１
2020151946.tif 000002
【特許請求の範囲】
【請求項１】
屋内外に既設の柱状構造物を切断する柱状構造物切断装置であって、
所定の設置面に設置される基台部と、
前記基台部上を平面方向に移動可能に設けられたスライド部と、
前記スライド部上を平面方向に回転可能に設けられた回転台部と、
前記回転台部に設けられた切断部とを備え、
前記スライド部が前記基台部上を平面方向に移動することにより、前記切断部が平面方向に往復移動するとともに、前記回転台部が前記スライド部上で平面方向に回転することにより前記切断部が平面方向に揺動することを特徴とする柱状構造物切断装置。
【請求項２】
前記スライド部は、スライド部用ハンドルと、前記スライド部用ハンドルに連結され、設置面に直交する方向に延びる第１のスライド部用回転軸と、設置面に平行な方向に延びる第２のスライド部用回転軸と、前記第１のスライド部用回転軸と前記第２のスライド部用回転軸を回転伝達可能な状態で連結するスライド部用ギアと、前記第２のスライド部用回転軸に螺合されたナット部材とからなる送りネジ機構に接続され、前記スライド部用ハンドルが回転することにより前記第１のスライド部用回転軸と前記第２のスライド部用回転軸が前記スライド部用ギアを介して軸回転するのに伴って、前記ナット部材が姿勢を維持しながら移動することによって、前記基台部上を平面方向に移動するものとなされている請求項１に記載の柱状構造物切断装置。
【請求項３】
前記回転台部は、回転台部用ハンドルと、前記回転台部用ハンドルに連結された回転台部用回転軸と、前記回転台部用回転軸と前記回転台部の中心軸を回転伝達可能な状態で連結する回転台部用ギアとからなり、前記回転台部用ハンドルが回転することにより前記回転台部用回転軸が軸回転するのに伴って、前記回転台部用ギアを介して前記回転台部の中心軸が軸回転することによって、前記スライド部上で平面方向に回転する請求項１または請求項２に記載の柱状構造物切断装置。
【請求項４】
前記基台部は、一端部が基台部に軸支された支承板と、該支承板の他端部に設けられたアジャスターボルトとからなるアジャスター機構が設けられている請求項１から請求項３のいずれかに記載の柱状構造物切断装置。
【請求項５】
請求項１から請求項４のいずれかに記載の柱状構造物切断装置に用いられる治具であって、
所定の設置面に設置される基台部と、
前記基台部上を平面方向に移動可能に設けられたスライド部と、
前記スライド部上で平面方向に回転可能に設けられ、切断部が設けられるための回転台部とを備えることを特徴とする柱状構造物切断装置用治具
【請求項６】
所定の設置面に設置される基台部と、前記基台部上を平面方向に移動可能に設けられたスライド部と、前記スライド部上を平面方向に回転可能に設けられた回転台部と、前記回転台部に設けられた切断部とを備えた柱状構造物切断装置を用いた柱状構造物の切断方法であって、
前記柱状構造物切断装置を設置面に設置する工程と、
前記スライド部を前記基台部上で柱状構造物に向かって移動させることにより、前記切断部を電柱に切り込んでいく工程と、
前記切断部を電柱に切り込んだ状態において、前記スライド部を前記基台部上で移動させることにより前記切断部を往復移動させたり、前記回転台部を前記スライド部上で平面方向に回転させることにより前記切断部を揺動させたりすることによって、電柱を切断する工程とを備えることを特徴とする柱状構造物の切断方法。
【発明の詳細な説明】
【技術分野】
【０００１】
本発明は、屋内外に既設の電柱等の柱状構造物を切断するための柱状構造物切断装置に関するものである。
【背景技術】
【０００２】
従来より、地面に立設されている既設の電柱について、老朽化や災害などによる破損に伴って交換する際、電柱を地面に平行な平面方向に切断することが行われる。そして、最近では、電柱を地面近くの基礎部分で切断したあと、電柱の中空内部に鋼管ポールなどの新たな電柱を挿入することにより、電柱を簡易に交換する工法が注目されている。
【０００３】
このように電柱を切断する際、例えば円盤状の刃部が設けられたブレードカッターや、チェーンソーなどが用いられるが、電柱を切断するには大きさ負荷がかかるため、刃部が破損したり、電柱の欠片や粉塵が飛散するなどして、安全上、些か問題があった。
【０００４】
そこで、電柱を安全に切断する装置として、特許文献１〜特許文献１０が知られている。これらによれば、電柱の側面を抱きかかえるように装置を設置したあと、装置に設けられた刃部やワイヤーにより電柱を安全に切断することができる。
【先行技術文献】
【特許文献】
【０００５】
【特許文献１】特開２０１９−７１６０号公報
【特許文献２】特開２０１６−４３５３２号公報
【特許文献３】特開２０１５−９６２９９号公報
【特許文献４】特開２０１４−２１３４１８号公報
【特許文献５】特開２０１４−３７６７６号公報
【特許文献６】特開２００６−３１６６１０号公報
【特許文献７】実用新案登録第３１９８２８５号公報
【特許文献８】実用新案登録第３１８１３１９号公報
【特許文献９】実用新案登録第３１６５５６４号公報
【特許文献１０】実開昭６２−１３８７４２号公報
【発明の概要】
【発明が解決しようとする課題】
【０００６】
しかしながら、最近では、電柱の周囲に光ファイバーなどの他の配管が複数設けられている場合が多いため、従来のように電柱の側面を抱きかかえるように設置する装置の場合、それらの複数の配管が邪魔になって、電柱を切断することが困難であるという問題があった。もとより、作業者が上述の各種カッターを手に持って切断する場合、少しでも切断箇所がずれたりすると、電柱の周りの配管を誤って切断したり、傷付けたりしてしまって、最悪の場合には周囲の住居、病院、工場での設備に支障をきたし、多大な損害が生じるという問題があった。
【０００７】
このような問題は、地面に立設される電柱のみならず、地面や壁面などに既設されている他の柱状構造物にも同様に生じるものと考えられる。
【０００８】
本発明は、上述の問題に鑑みてなされたものであり、様々な環境にある柱状構造物に対して、安全にして、簡単かつ確実に切断することができる柱状構造物切断装置を提供することを目的とする。
【課題を解決するための手段】
【０００９】
本発明は、上記目的を達成するために、屋内外に既設の柱状構造物を切断する柱状構造物切断装置であって、所定の設置面に設置される基台部と、前記基台部上を平面方向に移動可能に設けられたスライド部と、前記スライド部上を平面方向に回転可能に設けられた回転台部と、前記回転台部に設けられた切断部とを備え、前記スライド部が前記基台部上を平面方向に移動することにより、前記切断部が平面方向に往復移動するとともに、前記回転台部が前記スライド部上で平面方向に回転することにより前記切断部が平面方向に揺動することを特徴とする。
【００１０】
これによれば、切断部が柱状構造物に対して前後方向に往復移動したり、左右方向に揺動し得るため、周囲に他の配管が存在するなどの様々な環境にある柱状構造物に対して、安全にして、簡単かつ確実に切断することができる。
【００１１】
また、前記スライド部は、スライド部用ハンドルと、前記スライド部用ハンドルに連結され、設置面に直交する方向に延びる第１のスライド部用回転軸と、設置面に平行な方向に延びる第２のスライド部用回転軸と、前記第１のスライド部用回転軸と前記第２のスライド部用回転軸を回転伝達可能な状態で連結するスライド部用ギアと、前記第２のスライド部用回転軸に螺合されたナット部材とからなる送りネジ機構に接続され、前記スライド部用ハンドルが回転することにより前記第１のスライド部用回転軸と前記第２のスライド部用回転軸が前記スライド部用ギアを介して軸回転するのに伴って、前記ナット部材が姿勢を維持しながら移動することによって、前記基台部上を平面方向に移動するものとなされてもよい。これによれば、スライド部用ハンドルを回転することにより切断部を精度良く往復移動させることができる。また、スライド部用ハンドルの回転を止めると、切断部を所定の箇所に確実に固定することができる。
【００１２】
また、前記回転台部は、回転台部用ハンドルと、前記回転台部用ハンドルに連結された回転台部用回転軸と、前記回転台部用回転軸と前記回転台部の中心軸を回転伝達可能な状態で連結する回転台部用ギアとからなり、前記回転台部用ハンドルが回転することにより前記回転台部用回転軸が軸回転するのに伴って、前記回転台部用ギアを介して前記回転台部の中心軸が軸回転することによって、前記スライド部上で平面方向に回転してもよい。これによれば、回転台部用ハンドルを回転することにより回転台部を精度良く揺動させることができる。また、回転台部用ハンドルの回転を止めると、切断部を所定角度で確実に固定することができる。
【００１３】
また、前記基台部は、一端部が基台部に軸支された支承板と、該支承板の他端部に設けられたアジャスターボルトとからなるアジャスター機構が設けられてもよい。これによれば、支承板を基台部に対して所定角度で回転させたあと、アジャスターボルトの支承板に対する突出度合いを調整することにより、起伏、段部、傾斜がある設置面においても、装置を設置面に平行な状態で設置することができる。
【００１４】
また、本発明に係る柱状構造物切断装置用治具は、所定の設置面に設置される基台部と、前記基台部上を平面方向に移動可能に設けられたスライド部と、前記スライド部上で平面方向に回転可能に設けられ、切断部が設けられるための回転台部とを備えることを特徴とする。これによれば、各種カッターの切断部を回転台部に固定することにより、周囲に他の配管が存在するなどの様々な環境にある柱状構造物に対して、安全にして、簡単かつ確実に切断することができる。
【００１５】
また、本発明に係る柱状構造物切断方法は、所定の設置面に設置される基台部と、前記基台部上を平面方向に移動可能に設けられたスライド部と、前記スライド部上を平面方向に回転可能に設けられた回転台部と、前記回転台部に設けられた切断部とを備えた柱状構造物切断装置を用いた柱状構造物の切断方法であって、前記柱状構造物切断装置を設置面に設置する工程と、前記スライド部を前記基台部上で柱状構造物に向かって移動させることにより、前記切断部を電柱に切り込んでいく工程と、前記切断部を電柱に切り込んだ状態において、前記スライド部を前記基台部上で移動させることにより前記切断部を往復移動させたり、前記回転台部を前記スライド部上で平面方向に回転させることにより前記切断部を揺動させたりすることによって、電柱を切断する工程とを備えることを特徴とする。これによれば、切断部を柱状構造物に対して前後方向に往復移動させり、左右方向に揺動させ得るため、周囲に他の配管が存在するなどの様々な環境にある柱状構造物に対して、安全にして、簡単かつ確実に切断することができる。
【発明の効果】
【００１６】
本発明によれば、切断部が柱状構造物に対して前後方向に往復移動したり、左右方向に揺動するため、周囲に他の配管が存在するなどの様々な環境にある柱状構造物に対して、安全にして、簡単かつ確実に切断することができる。このため、電柱等の交換作業を短期かつ低コストで実現することが可能となる。
【図面の簡単な説明】
【００１７】
【図１】本発明の実施形態に係る柱状構造物切断装置の斜視図である。
【図２】図１の装置（切断部を除く治具）の平面図である。
【図３】図１の装置（切断部を除く治具）の側面図である。
【図４】図１の装置（切断部を除く治具）のＩ−Ｉ線断面図である。
【図５】図１の装置（切断部を除く治具）のＩＩ−ＩＩ線断面図である。
【図６】図１の装置を用いて電柱を切断する工程を示す平面図である。
【発明を実施するための形態】
【００１８】
次に、本発明に係る柱状構造物切断装置（以下、本装置という）の実施形態について図１〜図６を参照しつつ説明する。なお、本実施形態では、柱状構造物として、地面から上方に立設されている電柱Ｐを切断する場合について説明する。また、図２の右側を装置の前方、図２の左側を装置の後方、図２の上側を装置の左方、図２の下側を装置の右方とし、地面等の設置面に対して平行な方向を平面方向という。
【００１９】
本装置は、図１に示すように、地面等の設置面に設置される金属製の基台部１と、基台部１上を長さ方向に摺動可能に設けられた金属製のスライド部２と、スライド部２上を平面方向に回転可能に設けられた金属製の回転台部３と、回転台部３上に設けられた切断部４とを備える。
【００２０】
前記基台部１は、図２および図３に示すように、平面視矩形条に形成された設置板１１を有しており、上部に設けられた２本のレール部材１２と、後端部に設けられた支柱枠部材１３と、スライド部２を摺動させるための送りネジ機構１４と、回転台部３を回転させるための回転機構１５とを備える。
【００２１】
前記レール部材１２は、設置面（設置板１１）から所定の高さ位置において、基台部１の幅方向（図２の上下方向）に互いに所定距離を隔てながら、基台部１の長さ方向（図２の左右方向）に沿って平行に延びるように設けられている。これにより、後述するようにスライド部２をレール部材１２に沿ってスムーズに摺動させることができる。
【００２２】
前記支柱枠部材１３は、基台部１の後端部の両側から立設された２本の支柱板１３１と、両支柱板１３１の上部に架設された上側横桟１３２と、両支柱板１３１の下部に架設された下側横桟１３３とからなる。これにより、作業者が支柱枠部材１３の支柱板１３１、上側横桟１３２、あるいは下側横桟１３３を把持して移動させることにより本装置を設置面に設置することができる。
【００２３】
前記送りネジ機構１４は、図４に示すように、支柱枠部材１３の上部付近に設けられた第１のハンドル１４０と、第１のハンドル１４０に連結された第１の回転軸１４１と、第１の回転軸１４１に連結された第２の回転軸１４２と、第１の回転軸１４１と第２の回転軸１４２を回転伝達可能に連結するギア１４４、１４５と、第２の回転軸１４２に螺着されたナット部材１４６とからなる。
【００２４】
具体的には、第１の回転軸１４１は、設置面に垂直な方向（基台部１の長さ方向と幅方向に直交する方向）に延びる円柱状の回転軸であって、上部と下部が基台部１の支柱枠部材１３の上側横桟１３２と下側横桟１３３に軸支され、上端部に第１のハンドル１４０が設けられるとともに、下端部に円錐台状の第１のギア１４４が設けられている。
【００２５】
また、第２の回転軸１４２は、レール部材１２の間において設置面に平行な方向（基台部１の長さ方向）に延びる円柱状の回転軸であって、前端部と後部が基台部１に軸支され、後端部に円錐台状の第２のギア１４５が設けられている。
【００２６】
また、第１のギア１４４と第２のギア１４５は、いわゆるかさ歯車と呼ばれるものであり、互いに回転伝達可能な状態で直交に噛合している。
【００２７】
また、ナット部材１４６は、第２の回転軸１４２上を移動可能に螺着するとともに、上面にスライド部２が固定されている。
【００２８】
而して、第１のハンドル１４０を平面方向に右回りまたは左回りに回転すると、第１の回転軸１４１が軸回転して、ギア１４４、１４５を介して第２の回転軸１４２が軸回転するのに伴って、ナット部材１４６が姿勢を維持しながら前方または後方に移動するため、ナット部材１４６に固定されたスライド部２も基台部１上をレール部材１２に沿って前方または後方に摺動することができる。また、第１のハンドル１４０が所定の高さ位置に設けられることにより、作業者が第１のハンドル１４０を所定の高さをもって回転し得るため、切断部４を往復移動させ易くなる。
【００２９】
前記回転機構１５は、図２に示すように、第２のハンドル１５０と、第２のハンドル１５０に連結された第３の回転軸１５１と、前記第３の回転軸１５１に外挿された第１のギア１５２と、第１のギア１５２に噛合するとともに、回転台部３の回転軸に接続された第２のギア１５３とを備える。
【００３０】
具体的には、第３の回転軸１５１は、第２の回転軸１４２と右側のレール部材１２の間において、設置面に平行な方向（基台部１の長さ方向）に延びる円柱状の回転軸であって、前端部と後端部がスライド部２の裏面で軸支され、後端部に第２のハンドル１５０が設けられている。
【００３１】
また、第１のギア１５２と第２のギア１５３は、いわゆるウォームギアと呼ばれる歯車であり、第１のギア１５２がウォーム、第２のギア１５３がウォームホイールとして互いに回転伝達可能な状態で噛合している。                                      
【００３２】
而して、第２のハンドル１５０を鉛直方向に右回りまたは左回りに回転すると、回転軸が軸回転して、ギア１５２、１５３を介して回転台部３の中心軸３１が軸回転して、回転台部３がスライド部２上で所定角度（左右各９０度以内）で平面方向に回転することができる。
【００３３】
なお、前記基台部１は、図２および図３に示すように、四隅部にアジャスター機構１６が設けられている。このアジャスター機構１６は、一端部が第１の固定ボルト１６３により基台部１に軸支された支承板１６１と、該支承板１６１の他端部に垂直に貫通状態で螺合したアジャスターボルト１６２とを備えている。
【００３４】
而して、設置面の状況に応じて、支承板１６１を基台部１に対して平面方向に所定角度回転させ、第１の固定ボルト１６３により支承板１６１の回転を固定したあと、アジャスターボルト１６２を軸回転させることにより支承板１６１に対する突出度合いを調整する。これにより、起伏、段部、傾斜がある設置面においても、本装置を設置面に平行な状態で設置することができる。なお、本実施形態では、支承板１６１の第１の固定ボルト１６３よりも他端部側に第２の固定ボルト１６４が設けられており、第２の固定ボルト１６４を固定することにより、支承板１６１の不用意な回転を確実に防止することができるようになっている。
【００３５】
前記スライド部２は、図２および図３に示すように、平面視正方形の金属板であり、基台部１のレール部材１２の上方において設置面（設置板１１）に平行に設けられている。また、スライド部２は、図５に示すように、裏面の幅方向の両側にはレール部材１２に摺動可能な状態で噛合する噛合部材２１が設けられている。このため、スライド部２は、設置面（設置板１１）から所定の高さ位置において、基台部１上をレール部材１２に沿って摺動することにより、平面方向（設置面（設置板１１）に平行な平面に沿う方向）を前方または後方にスムーズに移動することができる。
【００３６】
前記回転台部３は、図２および図３に示すように、平面視円形の金属板であり、スライド部２と所定の隙間を空けながら平行に設けられる。また、回転台部３は、裏面の中心部に中心軸３１を有しており、上述の回転機構１５の第２のギア１５３に同軸上に接続されている。このため、回転台部３は、スライド部２上で平面方向（設置面（設置板１１）に平行な平面またはスライド部２の移動平面に平行な平面に沿う方向）に所定角度で回転することができる。
【００３７】
前記切断部４は、いわゆるチェーンソーと呼ばれるものであり、図示略の駆動モータが内蔵された本体４１と、該本体４１から突出する態様で設けられたカッター４２とからなる。この切断部４は、カッター４２が本装置の前方に突出する態様で本体４１が回転台部３に固定される。切断部４を回転台部３を固定するに際しては、図示略のボルトやナット等を用いて回転台部３に固定する。なお、本実施形態のチェーンソーは、コンクリートを切断する際に用いられる汎用のものが用いられており、チェーンソーに初めから付属しているハンドルなどがそのまま付属していてもよい。
【００３８】
次に、本装置により柱状構造物として電柱Ｐを切断する方法について、図６を参照しつつ説明する。なお、電柱Ｐの切断に際しては、切断部４に対する負荷を軽減するため、一般にクレーン等で電柱Ｐの上端部を上方に吊り上げた状態とする。
【００３９】
まず、図６（ａ）に示すように、本装置を電柱Ｐの近傍箇所の設置面に設置する。このとき、本装置の基台部１の前端部を電柱Ｐ側に向けながら地面に設置したあと、アジャスター機構１６により基台部１が設置面に対して平行な状態となるように高さを調節する。
【００４０】
次に、図６（ｂ）に示すように、切断部４を駆動したあと、送りネジ機構１４によりスライド部２を基台部１上で前方に次第に摺動させると、切断部４のカッター４２部が電柱Ｐに対して垂直に次第に切り込んでいく。このとき、上述のように第１のハンドル１４０を回転させて、送りネジ機構１４によりスライド部２を基台部１上で摺動させるため、切断部４を精度良く前方に移動させることができる。また、第１のハンドル１４０の回転を止めると、切断部４を所定の箇所に確実に固定することができる。
【００４１】
次に、図６（ｃ）に示すように、回転機構１５により回転台部３をスライド部２上で平面方向の左回りに回転させると、切断部４のカッター４２が平面方向の左方に揺動しながら電柱Ｐの左側に次第に切り込んでいく。このとき、上述のように第２のハンドル１５０を回転させて、回転機構１５により回転台部３をスライド部２上で回転させるため、切断部４を精度良く左方に揺動させることができる。また、第２のハンドル１５０の回転を止めると、切断部４を所定の角度で確実に固定することができる。
【００４２】
次に、図６（ｄ）に示すように、回転機構１５により回転台部３をスライド部２上で平面方向の右回りに回転させると、切断部４のカッター４２が平面方向右方に揺動しながら電柱Ｐの右側に次第に切り込んでいく。このとき、上述のように第２のハンドル１５０を回転させて、回転機構１５により回転台部３をスライド部２上で回転させるため、切断部４を精度良く右方に揺動させることができる。また、第２のハンドル１５０の回転を止めると、切断部４を所定の角度で確実に固定することができる。
【００４３】
而して、電柱Ｐを完全に切断したあと、図６（ａ）に示すように、スライド部２を基台部１上で後方に摺動させると、切断部４のカッター４２が電柱Ｐから次第に抜かれていく。なお、電柱Ｐの切断方法は上述の手順に限定されるものではなく、その他の手順であってもよい。
【００４４】
なお、本実施形態では、スライド部２は基台部１上をレール部材１２に沿って摺動するものとしたが、基台部１上で平面方向に移動するものであれば、必ずしも摺動しなくてもよい。
【００４５】
また、上述の送りネジ機構１４や回転機構１５を設けるものとしたが、その他の送りネジ機構１４や回転機構１５であってもよいし、送りネジ機構１４や回転機構１５を設けずに手動でスライド部２を移動させたり、回転台部３を回転させてもよい。
【００４６】
また、切断部４としてチェーンソーを用いたが、その他のカッターやワイヤーなどによる切断工具であってもよい。
【００４７】
また、本装置の切断方法を説明する際、設置面を地面として説明したが、壁面や足場など、その他の設置面であってもよい。
【００４８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４９】
１…基台部
１１…設置板
１２…レール部材
１３…支柱枠部材
１３１…支柱
１３２…上側横桟
１３３…下側横桟
１４…送りネジ機構
１４０…第１のハンドル
１４１…第１の回転軸
１４２…第２の回転軸
１４４…第１のギア
１４５…第２のギア
１４６…ナット部材
１５…回転機構
１５０…第２のハンドル
１５１…第３の回転軸
１５２…第１のギア
１５３…第２のギア
１６…アジャスター機構
１６１…支承板
１６２…アジャスターボルト
２…スライド部
２１…噛合部材
３…回転台部
３１…中心軸
４…切断部
４１…本体
４２…カッター
Ｐ…電柱
【図１】
2020151946.tif 000003
【図２】
2020151946.tif 000004
【図３】
2020151946.tif 000005
【図４】
2020151946.tif 000006
【図５】
2020151946.tif 000007
【図６】
2020151946.tif 000008
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
屋内外に既設の柱状構造物を切断する柱状構造物切断装置であって、
所定の設置面に設置される基台部と、
前記基台部上を長さ方向に移動可能に設けられたスライド部と、
前記スライド部上を平面方向に回転可能に設けられた回転台部と、
前記回転台部に設けられ、カッターを有する切断部とを備え、
前記スライド部が柱状構造物に向かって基台部の長さ方向に移動することにより、前記切断部のカッターがスライド部の移動方向の前方に突出する態様で移動して柱状構造物に切り込んでいくとともに、前記回転台部が前記スライド部上で平面方向に回転することにより、前記切断部のカッターがスライド部の移動方向の左右に揺動して柱状構造物を切断する特徴とする柱状構造物切断装置。
【請求項２】
前記スライド部は、スライド部用ハンドルと、前記スライド部用ハンドルに連結され、設置面に直交する方向に延びる第１のスライド部用回転軸と、設置面に平行な方向に延びる第２のスライド部用回転軸と、前記第１のスライド部用回転軸と前記第２のスライド部用回転軸を回転伝達可能な状態で連結するスライド部用ギアと、前記第２のスライド部用回転軸に螺合されたナット部材とからなる送りネジ機構に接続され、前記スライド部用ハンドルが回転することにより前記第１のスライド部用回転軸と前記第２のスライド部用回転軸が前記スライド部用ギアを介して軸回転するのに伴って、前記ナット部材が姿勢を維持しながら移動することによって、前記基台部上を平面方向に移動するものとなされている請求項１に記載の柱状構造物切断装置。
【請求項３】
前記回転台部は、回転台部用ハンドルと、前記回転台部用ハンドルに連結された回転台部用回転軸と、前記回転台部用回転軸と前記回転台部の中心軸を回転伝達可能な状態で連結する回転台部用ギアとからなり、前記回転台部用ハンドルが回転することにより前記回転台部用回転軸が軸回転するのに伴って、前記回転台部用ギアを介して前記回転台部の中心軸が軸回転することによって、前記スライド部上で平面方向に回転する請求項１または請求項２に記載の柱状構造物切断装置。
【請求項４】
前記基台部は、一端部が基台部に軸支された支承板と、該支承板の他端部に設けられたアジャスターボルトとからなるアジャスター機構が設けられている請求項１から請求項３のいずれかに記載の柱状構造物切断装置。
【請求項５】
請求項１から請求項４のいずれかに記載の柱状構造物切断装置に用いられる治具であって、
所定の設置面に設置される基台部と、
前記基台部上を平面方向に移動可能に設けられたスライド部と、
前記スライド部上で平面方向に回転可能に設けられ、切断部が設けられるための回転台部とを備えることを特徴とする柱状構造物切断装置用治具
【請求項６】
所定の設置面に設置される基台部と、前記基台部上を平面方向に移動可能に設けられたスライド部と、前記スライド部上を平面方向に回転可能に設けられた回転台部と、前記回転台部に設けられ、カッターを有する切断部とを備えた柱状構造物切断装置を用いた柱状構造物の切断方法であって、
前記柱状構造物切断装置を設置面に設置する工程と、
前記スライド部を前記基台部上で柱状構造物に向かって移動させることにより、前記切断部のカッターをスライド部の移動方向の前方に突出する態様で移動させ、柱状構造物に切り込んでいく工程と、
前記切断部のカッターを柱状構造物に切り込んだ状態において、前記回転台部を前記スライド部上で平面方向に回転させることにより前記切断部のカッターをスライド部の移動方向の左右に揺動させることによって、柱状構造物を切断する工程とを備えることを特徴とする柱状構造物の切断方法。